(57)【要約】【課題】従来の洗浄装置は、眼なら眼専用、鼻なら鼻専用の装置であり、眼と鼻の両方を洗浄することは出来ないものであった。そのため、外へ携帯する場合、両方の装置を携帯しなければならず、不便であった。また、洗浄する場合に、人によっては苦しいと感じさせる姿勢を取らなければならないものもあり、使い難いものであった。【解決手段】眼鼻洗浄装置１の中に洗浄液７を入れ、眼または鼻に当て、下部容器６を指で押さえる。下部容器６は弾力性があるから、凹んで洗浄液を押し出すが、仕切板５の上縁と壁面との隙間４３は小さくされているので、洗浄液は矢印Ｇの方向に勢いよく噴出される。噴出される洗浄液により、眼または鼻を洗浄する。洗浄液が噴出して来るので、顔はややうつむき加減にしていればよく、楽な姿勢で使用出来る。【選択図】　　　　図３
0003098252.tif 000002
【実用新案登録請求の範囲】
【請求項１】
下部に連結部分を具えた筒状部と、
該筒状部の上方に一体に延設され、上にスカート状に開いた形状をし、その縁には第１，第２の突出部が対向する位置に設けられると共に、少し窪まされた第１凹部と大きく窪まされた第２凹部とが対向する位置に設けられた拡開部と、
該拡開部と前記筒状部との内部にわたり、上縁は前記第１凹部の側の壁面に近接させ、下縁は前記第２凹部の側の壁面に近接させ、両側縁は壁面に固着させることにより、前記筒状部の軸方向に対して斜めに設置された仕切板と
から成る上部本体と、
弾力性ある材質で作られ、前記筒状部の連結部分に着脱自在に連結される下部容器と
で構成され、
中へ入れた洗浄液を前記下部容器を指で押さえることにより噴出させ、眼あるいは鼻を洗浄することを特徴とする眼鼻洗浄装置。
【請求項２】
拡開部の縁を縁材で縁取りしたことを特徴とする請求項１記載の眼鼻洗浄装置。
【請求項３】
上部本体および下部容器を、透明な材料で構成したことを特徴とする請求項１または２記載の眼鼻洗浄装置。
【考案の詳細な説明】
【０００１】
【考案の属する技術分野】
本考案は、眼や鼻を洗浄するための眼鼻洗浄装置に関するものである。
【０００２】
【従来の技術】
日常の生活において眼や鼻をこまめに洗浄すると、眼や鼻に付着した花粉は殆ど洗い流されるので、花粉症の症状は大きく軽減される。また、洗浄によって除去される細菌もあるので、病気への感染も防止することが出来る。
そこで、日常生活の中で、個人でも手軽に眼や鼻を洗浄する装置が考えられている。例えば、眼を洗浄する装置としては、顔を仰向け気味にして眼に装置を当て、瞼をパチパチと開閉して眼を洗うものがある。また、鼻を洗浄する装置としては、鼻浴器と呼ばれるようなものがある。
【０００３】
【考案が解決しようとする課題】
しかしながら、前記した従来の洗浄装置には、次のような問題点があった。
第１の問題点は、眼なら眼専用、鼻なら鼻専用の装置であり、眼と鼻の両方を洗浄することは出来ないという点である。１つの装置で両方の洗浄に使用出来れば、外出する場合でもその装置だけを携帯して行けばよいので便利であるが、そういうものとはなっていなかった。
第２の問題点は、眼を洗浄する装置では顔を仰向けにせねばならないが、人によってはこの姿勢を取ること自体が苦しいし、顔を元に戻した時にフラつくこともあり、使い難いという点である。
本考案は、以上のような問題点を解決することを課題とするものである。
【０００４】
【課題を解決するための手段】
前記課題を解決するため、本考案の眼鼻洗浄装置は、下部に連結部分を具えた筒状部と、該筒状部の上方に一体に延設され、上にスカート状に開いた形状をし、その縁には第１，第２の突出部が対向する位置に設けられると共に、少し窪まされた第１凹部と大きく窪まされた第２凹部とが対向する位置に設けられた拡開部と、該拡開部と前記筒状部との内部にわたり、上縁は前記第１凹部の側の壁面に近接させ、下縁は前記第２凹部の側の壁面に近接させ、両側縁は壁面に固着させることにより、前記筒状部の軸方向に対して斜めに設置された仕切板とから成る上部本体と、弾力性ある材質で作られ、前記筒状部の連結部分に着脱自在に連結される下部容器とで構成することとした。
そして、この眼鼻洗浄装置の中へ入れた洗浄液を、前記下部容器を指で押さえることにより噴出させ、眼あるいは鼻を洗浄するようにした。
なお、前記拡開部の縁は、縁材で縁取りしてもよい。また、上部本体および下部容器は、中に入れた洗浄液の量が分かるように、透明な材料で構成することが出来る。
【０００５】
（作　　用）
眼鼻洗浄装置の中に洗浄液を入れ、眼または鼻に当て、下部容器を指で押さえる。すると、下部容器は弾力性があるから、凹んで洗浄液を押し出すが、仕切板の上縁と壁面との隙間は小さくされているので、洗浄液は勢いよく噴出される。この噴出される洗浄液により、眼または鼻を洗浄することが出来る。即ち、１つの装置で眼も鼻も洗浄できる。
洗浄液が噴出して来るので、それに眼や鼻を当てれば良いから、顔はややうつむき加減にしていればよく、無理のない楽な姿勢で使用することが出来る。
【０００６】
【考案の実施の形態】
以下、本考案の実施形態を図面に基づいて詳細に説明する。
図１は、本考案の眼鼻洗浄装置を示す図である。図１において、１は眼鼻洗浄装置、２は上部本体、３は拡開部、４は筒状部、５は仕切板、６は下部容器、３１は縁材、３２は第１凹部、３３，３４は突出部、３５は第２凹部、４１は鍔、４２は凸条、４３は仕切板下方通路、４４は仕切板上方通路、４５は連結部分、Ｇ，Ｋは矢印である。
そして、図１（１）は本考案の眼鼻洗浄装置を上から見下ろした平面図であり、図１（２）は正面図、図１（３）は側面図である。
【０００７】
本考案の眼鼻洗浄装置１は、上部本体２と下部容器６とから成り、両者は着脱自在とされている。そして上部本体２は、筒状部４と、その上に一体になって続く拡開部３と、これらの内部に固着された仕切板５とで出来ている。
拡開部３は、上にスカート状に開いた形状としているが、その縁は高さが同じではない。突出させられている部分もあれば、窪増せられている部分もある。即ち、突出部３３と３４とが、対向した位置に設けられ、少し窪まされた第１凹部３２と大きく窪まされた第２凹部３５とが、対向した位置に設けられている。
【０００８】
第１凹部３２や第２凹部３５を、図示するように滑らかに窪ませてある理由は、それらを鼻や眼の部分に当てがう時に、当てがい易いようにするためである。
なお、拡開部３の縁は、眼鼻洗浄装置１を使用する際、人の顔に接触する部分であるので、顔を傷つけたり痛みを与えたりしないよう、縁端を円く面取りしておく。そうしておくだけでもよいが、接触感を一層良くしたり液漏れ防止を良好にするために、図示するように、拡開部３の縁に縁材３１を取り付けてもよい。縁材３１の材料としては、例えば、ゴムを用いることが出来る。
【０００９】
筒状部４の下部は、連結部分４５とされる。連結部分４５は、下部容器６と連結するための部分であり、ここには例えば鍔４１や幾つかの凸条４２が設けられる。鍔４１は、下部容器６を連結する場合、その上端がここに当たるまで差し込むという位置決めの役目を果している。凸条４２は、連結した下部容器６の内壁と強く接触し、抜けにくくすると同時に、下部容器６に入れた洗浄液が漏れないように作用する。
なお、鍔４１，凸条４２の役割は上記のようなものであるので、これと同様の役割を果してくれるものであれば、他の構造のものでもよい。例えば、鍔４１は筒状部４の全周にわたって設けられる構造物であるが、その代わりに、全周ではなく、周の途切れ途切れに凸状の物を設けるという構造物としてもよい。
【００１０】
仕切板５は、上部本体２の内部通路を、２つの通路に分けるためのものである。図１（３）によく示されているように、仕切板５は、その上縁は第１凹部３２の側の壁面に近接するように、下縁は第２凹部３５の側の壁面に近接するように、筒状部４の軸方向に対して斜めに設置される。仕切板５の両側の縁は、内壁に固着される。図の例では、仕切板５は湾曲されて設けられているが、直線的に設けてもよい。
【００１１】
なお、図中の仕切板下方隙間４３は、仕切板５の上縁と第１凹部３２の側の壁面との間の隙間であり、仕切板上方隙間４４は、仕切板５の下縁と第２凹部３５の側の壁面との間の隙間である。
図１の（３）の矢印Ｇ，Ｋは、洗浄液を入れた場合、洗浄液が流れる方向を示している。下部容器６に入れられた洗浄液は、仕切板下方隙間４３を通って矢印Ｇの如く噴出せしめられ、矢印Ｋの如く仕切板上方隙間４４を通って流れ帰る。
【００１２】
図２は、本考案の眼鼻洗浄装置の分解図であり、符号は図１のものに対応している。図２（１）は、眼鼻洗浄装置１が上部本体２と下部容器６とに分解されている状態を示し、図２（２）は、下部容器６のＸ−Ｘ線での断面を示している。
眼鼻洗浄装置１の内部を掃除したり洗ったりする場合は、図２（１）のように分解し、使用する場合は、下部容器６を矢印Ｈのように筒状部４に連結する。
【００１３】
上部本体２や下部容器６の材質は、縁材３１を除いて透明であることが望ましい。なぜなら、その方が中に入れた洗浄液の量がよく分かるからである。また、下部容器６の材質は、弾力性を有する必要がある。なぜなら、外から指で押さえることにより、中に入れた洗浄液を噴出させようとするものだからである。
従って、縁材３１を除いた上部本体２は、透明で且つ硬質の合成樹脂で構成することが望ましく、下部容器６は、透明で且つ弾力性のある合成樹脂で構成することが望ましい。
【００１４】
図３は、本考案の眼鼻洗浄装置を用いて鼻を洗浄する場合の要領を示す図である。符号は図１のものに対応し、７は洗浄液、７１は液面、８は鼻である。
洗浄要領は、次の通りである。
▲１▼眼鼻洗浄装置１の中に仕切板５が隠れる程度に洗浄液７を入れる。
▲２▼やや顔をうつむけ、第１凹部３２の部分を鼻８の下に当て、第２凹部３５の部分を鼻梁に当てる。
▲３▼下部容器６を、外部から矢印Ｐのように指で押さえる。すると、洗浄液７は、上方へ押し出されるが、仕切板５の下側の通路を進む液体は、先に行くほど狭められているので、流れる速度は速くなる。その結果、仕切板下方隙間４３より矢印Ｇのように噴出される。噴出された液は、鼻８の穴の中へ入って洗浄する。
▲４▼押さえた指の力を緩めると、下部容器６は弾力性があるから元の形に復帰する。
▲５▼鼻８の中から出て来た洗浄液は、矢印Ｋのように仕切板５の背部を伝って下部容器６へ戻る。
下部容器６を押さえたり緩めたりすることを繰り返すことにより、何回も洗浄液７を鼻８の中へ噴出することが出来るので、鼻８の中を繰り返し洗浄することが出来る。
【００１５】
図４は、本考案の眼鼻洗浄装置を用いて眼を洗浄する場合の要領を示す図である。符号は図３のものに対応し、９は眼である。
洗浄要領は次の通りであり、鼻の場合とほぼ同様である。
▲１▼眼鼻洗浄装置１の中に仕切板５が隠れる程度に洗浄液７を入れる。
▲２▼やや顔をうつむけ、第１凹部３２の部分を眼９の下に当てる。
▲３▼下部容器６を、外部から矢印Ｐのように指で押さえる。すると、洗浄液７は、仕切板５の下から噴出され、眼９を洗浄する。
▲４▼押さえた指の力を緩めると、下部容器６は元の形に復帰する。
▲５▼眼９の中から出て来た洗浄液は、仕切板５の背部を伝って下部容器６へ戻る。
【００１６】
なお、洗浄液７としては、単なる水であってもよいし、洗浄用の薬品が混ぜられた液であってもよい。洗浄液７は、１回の洗浄をする度に廃棄して新しい液に交換するのが望ましいが、眼９の洗浄による液の汚れは比較的少ないから、先に眼９の洗浄をし、後で鼻８を洗浄するというようにしてもよい。
【００１７】
【考案の効果】
以上述べた如く、本考案の眼鼻洗浄装置によれば、次のような効果を奏する。（１）１つの装置で眼も鼻も洗浄できる。
１つの装置で両方の洗浄が出来るから、外出する場合でも１つを携帯して行けばよく、便利である。
（２）楽な姿勢で使用できる。
噴出して来る洗浄液に眼や鼻を当てれば良いわけであるから、顔をややうつむき加減にしていればよく、使用時に無理な姿勢を取る必要がない。
【図面の簡単な説明】
【図１】本考案の眼鼻洗浄装置を示す図
【図２】本考案の眼鼻洗浄装置の分解図
【図３】鼻の洗浄要領を示す図
【図４】眼の洗浄要領を示す図
【符号の説明】
１…眼鼻洗浄装置、２…上部本体、３…拡開部、４…筒状部、５…仕切板、６…下部容器、７…洗浄液、８…鼻、９…眼、３１…縁材、３２…第１凹部、３３，３４…突出部、３５…第２凹部、４１…鍔、４２…凸条、４３…仕切板下方隙間、４４…仕切板上方隙間、４５…連結部分、７１…液面、Ｇ，Ｈ、Ｋ，Ｐ…矢印
【図１】
0003098252.tif 000003
【図２】
0003098252.tif 000004
【図３】
0003098252.tif 000005
【図４】
0003098252.tif 000006